(57)【特許請求の範囲】
【請求項１】
ボックスベースにボックスカバーを嵌めて箱形に形成するとともにその内部に制御基盤を収容するようになし、次の（ａ）〜（ｅ）の要件を具備してなることを特徴とする遊技機用基盤ボックス。
（ａ）前記ボックスカバー又はボックスベースを合成樹脂で形成する。
（ｂ）ボックスカバー又はボックスベースの何れか一方の側面に配線用のリード線を引き出すリード線用ゲートを形成する。
（ｃ）前記リード線用ゲートは、ボックスベース又はボックスカバー側に開口するコ字状の切欠形態となし、その周りを補強リブで囲う。
（ｄ）ボックスベース又はボックスカバーの何れか一方の側面に、ボックスカバーをボックスベースに嵌め合わせた状態で前記リード線用ゲートに嵌合し且つボックスベース又はボックスカバーとの間にリード線挿通用の開口部が残る高さの立板部を設ける。
（ｅ）前記立板部とリード線用ゲートは、一方の端縁にＶ字型の溝を形成し、他方の端縁を山型にして互いの端縁同士を嵌め合わせることにより、板厚方向に作用する力に対し対抗可能なように結合する。
【発明の詳細な説明】
【０００１】
【発明の属する技術分野】
本発明は、ボックスベースにボックスカバーを重ねて箱形に形成し、その内部に制御基盤を収容してなる遊技機用基盤ボックス（以下単に基盤ボックスという。）に関する。
【０００２】
【従来の技術】
現在のパチンコ機やスロットマシーンは、マイクロコンピューターを含む制御基盤で遊技内容が制御されている。この制御基盤は、ボックスベースにボックスカバーを被せた四角い箱形の基盤ボックスに収められている。
【０００３】
ところで、前記基盤ボックス内の制御基盤から内蔵ロムを外していわゆる裏ロムに交換し、遊技内容を変更する不正行為が近年問題になっている。そのような不正行為を防止するため、ボックスベースとボックスカバーの継ぎ目の部分に封印シールなどを貼り、不正にボックスカバーを外した場合にその痕跡が残るようにしているが、それでも巧妙な手口で内蔵ロムの交換が行われる。
【０００４】
【発明が解決しようとする課題】
制御基盤の目視による日常的なチェックを可能にするため、ボックスカバーやボックスベースを透明な合成樹脂で形成するようにした基盤ボックスがある。ところがボックスカバーやボックスベースを合成樹脂で形成すると強度が低下するため、配線用のリード線を引き出すための開口部分を弾性変形させれば、内蔵ロムの出し入れが可能になるおそれがあった。
【０００５】
【課題を解決するための手段】
本発明は上記に鑑みなされたもので、ボックスベースにボックスカバーを嵌めて箱形に形成するとともにその内部に制御基盤を収容するようになし、次の（ａ）〜（ｅ）の要件を具備してなる遊技機用基盤ボックスを提供する。
（ａ）前記ボックスカバー又はボックスベースを合成樹脂で形成する。
（ｂ）ボックスカバー又はボックスベースの何れか一方の側面に配線用のリード線を引き出すリード線用ゲートを形成する。
（ｃ）前記リード線用ゲートは、ボックスベース又はボックスカバー側に開口するコ字状の切欠形態となし、その周りを補強リブで囲う。
（ｄ）ボックスベース又はボックスカバーの何れか一方の側面に、ボックスカバーをボックスベースに嵌め合わせた状態で前記リード線用ゲートに嵌合し且つボックスベース又はボックスカバーとの間にリード線挿通用の開口部が残る高さの立板部を設ける。
（ｅ）前記立板部とリード線用ゲートは、一方の端縁にＶ字型の溝を形成し、他方の端縁を山型にして互いの端縁同士を嵌め合わせることにより、板厚方向に作用する力に対し対抗可能なように結合する。
【０００６】
本発明の基盤ボックスは、例えば、コ字状に切り欠いたボックスカバー側のリード線用ゲートとボックスベース側の立板部との組合せでリード線挿通用の開口部を作るようにしたため、リード線の端部にあるコネクターを通す必要がなく、開口部を極力狭くすることができる。その結果、リード線用の開口部を使って内蔵ロムの強制的な出し入れを行うような不正行為が阻止できる。
【０００７】
【発明の実施の形態】
以下に本発明の実施の形態を図面を参照しつつ説明する。なお、図１は基盤ボックスの正面図、図２は拡大図Ｚ１を含む図１のＷ−Ｗ線断面図、図３は拡大図Ｚ２を含む図１のＸ−Ｘ線断面図、図４は拡大図Ｚ３を含む図１のＹ−Ｙ線断面図、図５は基盤ボックスの分解斜視図、図６はパチンコ機の裏面図である。
【０００８】
基盤ボックス１は、図６に示したように例えば遊技機の一種であるパチンコ機Ｐにおいて、遊技板２の裏側に設けた入賞球集合カバー３に取り付けられている。基盤ボックス１は、合成樹脂製で透明なボックスベース４と、同じく合成樹脂製で透明なボックスカバー５との組合せであって、ボックスベース４とボックスカバー５の中に内蔵ロムなどの電子部品（図示せず）の集合体である制御基盤６を収めてなる。
【０００９】
前記ボックスベース４は、長方形のプレート４ｐの四周側面を外リブ４ａ〜４ｄで囲い、さらにその外リブ４ａ〜４ｄの内側に適宜な間隔４ｓをおいて前記制御基盤６の取付台となる内リブ４０ａ〜４０ｄを突設してなる。内リブ４０ａ〜４０ｄのコーナー部分にはネジ用の貫通孔７ａが設けられており、それと連通するように制御基盤６のコーナー部分にもネジ用の貫通孔７ｂが設けられている。長辺側の一つの立板部たる外リブ４ａは、ボックスカバー５に向けて高く突出し、且つ、外リブ４ａと前記間隔４ｓの幅とを合わせた肉厚になっている。この外リブ４ａのほぼ中央には凹欠部８が設けられ、また、その凹欠部８の三辺と外リブ４ａの両端が山型に面取りされている。なお、外リブ４ａに対応する内リブ４０ａは、ボックスベース４全体における肉厚の偏りを防止するため、小さな点状の形態になっている。
【００１０】
一方、前記ボックスカバー５は、上面と四周側面を上側板５ｐと周側板５ａ〜５ｄで囲った形態であって、前記ボックスベース４に嵌めた状態で図２のように外リブ４ａ〜４ｄに内接し、且つ、内リブ４０ａ〜４０ｄ上の制御基盤６の縁に係合する。また、ボックスカバー５の全コーナー部分の内側には雌ネジ部（図示せず）が一体に設けられており、その雌ネジ部に対して前記ボックスベース４の裏側から貫通孔７ａと制御基盤６の貫通孔７ｂを通ってネジ９（図４参照）が螺合する。
【００１１】
しかして、前記ボックスカバー５の長辺側の一つの周側板５ａには、ボックスベース４側に開口するコ字状のリード線用ゲート１０が形成されている。このリード線用ゲート１０は、端からの高さを除き、前記ボックスベース４の外リブ４ａに嵌まり合う形状になっている（詳細は後述する。）。リード線用ゲート１０の端からの高さは、外リブ４ａの高さに対してリード線１１の外径より若干大きく設定されている。従って、ボックスベース４にボックスカバー５を嵌め合わせた状態で、ボックスベース４（外リブ４ａ）とリード線用ゲート１０との間にリード線１１が通るに適した広さの開口部１２ができる。なお、図２拡大図Ｚ１に示したように、開口部１２の出口側の上下の角（リード線用ゲート１０の出口側の角と外リブ４ａの出口側の角）を弧状に面取りしておけば、リード線１１が傷み難くなる。
【００１２】
前記のようにリード線用ゲート１０はボックスベース４の外リブ４ａに嵌まり合う形状であって、外リブ４ａの凹欠部８に嵌合する凸部１３が中央に突設されている。また、リード線用ゲート１０の表側には補強リブ１４が突設されており、その補強リブ１４の肉厚とボックスカバー５の周側板５ａの肉厚とが合体して前記外リブ４ａの肉厚とほぼ同じになる。そして、リード線用ゲート１０の凸部１３の三辺と両端にＶ字型の溝１５が形成されており、その溝１５と外リブ４ａの山型の面取り部分が係合しあって周側板５ａと外リブ４ａの一体性を高める。なお、外リブ４ａの凹欠部８とリード線用ゲート１０の凸部１３を係合させて開口部１２を適当な長さで区切る形態にすれば、開口部１２の総面積を広く（細長く）設定しても強度が低下しないメリットがある。
【００１３】
次ぎに上記基盤ボックス１の組立方法について説明する。前記のように基盤ボックス１は、ボックスベース４と制御基盤６とボックスカバー５の三者で構成されており、先ず作業台の上にボックスカバー５を裏返しにして載せる。次ぎに制御基盤６を裏返しにしてボックスカバー５の上にセットする。制御基盤６にはリード線１１のコネクター１６を予め接続しておき、ボックスカバー５に載せるとき垂れ下がるリード線１１をリード線用ゲート１０から外部に出す。
【００１４】
次ぎにボックスベース４を裏返しにしてボックスカバー５上にセットする。このときボックスベース４の外リブ４ａをボックスカバー５のリード線用ゲート１０の溝１５に嵌めながらスライドさせる。そして、ボックスベース４の貫通孔７ａにネジ９を通してボックスカバー５の雌ネジ部に螺合させ、そのネジ９でボックスカバー５と制御基盤６を共締めし、最後にボックスカバー５とボックスベース４との継ぎ目の部分に適宜な封印シール（図示せず）を貼り付ける。この状態でリード線用ゲート１０とボックスベース４（外リブ４ａ）との間が細長い開口部１２となり、リード線１１がその開口部１２の中を通って外部に出る。
【００１５】
しかして開口部１２は、リード線１１が通る程度の広さであり、また、リード線用ゲート１０の周りに補強リブ１４を形成して開口部１２の強度を高めてあるため、開口部１２を使って内蔵ロムを出し入れすることは不可能である。
【００１６】
以上本発明を実施の形態により説明したが、もちろん本発明は上記実施形態に限定されるものではない。例えば実施形態では、ボックスカバー５にリード線用ゲート１０を設けるようにしたが、図７に示したようにボックスベース４にリード線用ゲート１０を設けてもよい。その場合、凸部１３をボックスカバー５側に、また、凹欠部８をボックスベース４側に形成すればよい。また、基盤ボックス１の組立方法は、ボックスベース４の中に制御基盤６をセットし、その上にボックスカバー５を被せてビス止めすることになる。なお、基盤ボックス１を、リード線用ゲート１０を設けた部品から順に、且つ、リード線用ゲート１０の開口を上向きにして組み立てる本発明の組立方法は、リード線１１がリード線用ゲート１０に収まって横ズレすることなく安定するため、ボックスベース４の外リブ４ａをリード線用ゲート１０に、或いはボックスカバー５をリード線用ゲート１０に嵌める作業がスムーズに行える。
【００１７】
また、実施形態は、補強リブ１４をリード線用ゲート１０を囲う枠状に形成したが、究極的には周側板５ａ（補強リブ１４を設けた側面）の全面を覆う形態にしてもよい。また、実施形態では、外リブ４ａの端部を山型に面取りし、一方、リード線用ゲート１０にＶ字型の溝１５を刻設して両者を嵌め合わせるようにしたが、その嵌め合い構造はどのようなものであってもよい。
【００１８】
【発明の効果】
本発明の基盤ボックスは、コ字状に切り欠いたリード線用ゲートとボックスベース又はボックスカバーの立板部との組合せでリード線挿通用の開口部を作るようにしたため、リード線の端部にあるコネクターを通す必要がなくなって開口部を極力狭くすることができる。その結果、合成樹脂化したボックスカバー又はボックスベースにおいて、リード線用の開口部を使って内蔵ロムの強制的な出し入れを行うような不正行為が阻止できる。
【図面の簡単な説明】
【図１】  基盤ボックスの正面図である。
【図２】  拡大図Ｚ１を含む図１のＷ−Ｗ線断面図である。
【図３】  拡大図Ｚ２を含む図１のＸ−Ｘ線断面図である。
【図４】  拡大図Ｚ３を含む図１のＹ−Ｙ線断面図である。
【図５】  基盤ボックスの分解斜視図である。
【図６】  パチンコ機の裏面図である。
【図７】  他の形態を示す基盤ボックスの正面図である。
【符号の説明】
１  …遊技機用基盤ボックス
４  …ボックスベース
４ａ…外リブ（立板部）
５  …ボックスカバー
５ａ〜５ｄ…周側板
６  …制御基盤
１０…リード線用ゲート
１１…リード線
１２…開口部
１５…溝
【図１】
0004182552.tif 000002
【図２】
0004182552.tif 000003
【図３】
0004182552.tif 000004
【図４】
0004182552.tif 000005
【図５】
0004182552.tif 000006
【図６】
0004182552.tif 000007
【図７】
0004182552.tif 000008